【手続補正書】
【提出日】平成18年8月7日(2006.8.7)
【手続補正１】
【補正対象書類名】明細書
【補正対象項目名】発明の名称
【補正方法】変更
【補正の内容】
【発明の名称】遊技機設置島システム
【手続補正２】
【補正対象書類名】明細書
【補正対象項目名】特許請求の範囲
【補正方法】変更
【補正の内容】
【特許請求の範囲】
【請求項１】  複数の遊技機が設置可能であり、前記遊技機の遊技のために使用される遊技媒体を貯留する貯留領域を備える遊技機設置島と、
該遊技機設置島の稼働状況を管理する管理手段と、
から構成される遊技機設置島システムにおいて、
前記遊技機設置島は、
前記貯留領域の所定箇所に複数配設され、該貯留領域に貯留された遊技媒体を検出する貯留遊技媒体検出手段を備え、
前記管理手段は、
前記貯留領域に複数配設された各貯留遊技媒体検出手段に対応する貯留量を個々に設定する貯留量設定手段と、
該貯留量設定手段による設定内容並びに前記貯留遊技媒体検出手段による検出結果に基づいて、前記貯留領域における遊技媒体の貯留量を決定する貯留量決定手段と、
該貯留量決定手段により決定された前記貯留領域における遊技媒体の貯留量を特定可能に報知する貯留量報知手段と、
を備えることを特徴とする遊技機設置島システム。
【請求項２】  前記遊技機設置島を複数備え、
前記管理手段は、前記複数の遊技機設置島それぞれの稼働状況を管理し、
前記貯留量設定手段は、前記複数の遊技機設置島ごとに各貯留遊技媒体検出手段に対応する貯留量を設定し、
前記貯留量報知手段は、前記複数の遊技機設置島ごとに前記貯留領域における遊技媒体の貯留量を個別に報知する
請求項１に記載の遊技機設置島システム。
【請求項３】  前記貯留量報知手段は、前記複数の遊技機設置島それぞれの前記貯留領域における遊技媒体の貯留量を比較可能な態様にて報知する
請求項２に記載の遊技機設置島システム。
【請求項４】  前記複数の貯留遊技媒体検出手段は、前記貯留領域内の遊技媒体の貯留量が所定の下限貯留量未満であることを検出する下限貯留遊技媒体検出手段を含み、
前記下限貯留遊技媒体検出手段により前記所定の下限貯留量未満であることが検出されたことに基づいて、前記貯留領域に遊技媒体を供給する供給手段を備え、
前記貯留量報知手段は、前記下限貯留遊技媒体検出手段により前記所定の下限貯留量未満であることが所定時間継続して検出されたとき、前記貯留領域内の遊技媒体の貯留量が前記所定の下限貯留量未満であることが継続している旨を報知する
請求項１〜３のいずれかに記載の遊技機設置島システム。
【請求項５】  前記管理手段は、前記貯留量決定手段による決定内容に基づいて、前記貯留領域における遊技媒体の貯留量の推移状態を示す貯留量推移画像情報を生成する貯留量推移画像情報生成手段を備え、
前記貯留量報知手段は、前記貯留量推移画像情報生成手段により生成された前記貯留量推移画像情報に基づいて貯留量推移画像を表示可能な表示手段である
請求項１〜４のいずれかに記載の遊技機設置島システム。
【手続補正３】
【補正対象書類名】明細書
【補正対象項目名】０００７
【補正方法】変更
【補正の内容】
【０００７】
【課題を解決するための手段】
上記問題を解決するために、本発明の遊技機設置島管理システムは、
複数の遊技機が設置可能であり、前記遊技機の遊技のために使用される遊技媒体を貯留する貯留領域を備える遊技機設置島と、
該遊技機設置島の稼働状況を管理する管理手段と、
から構成される遊技機設置島システムにおいて、
前記遊技機設置島は、
前記貯留領域の所定箇所に複数配設され、該貯留領域に貯留された遊技媒体を検出する貯留遊技媒体検出手段を備え、
前記管理手段は、
前記貯留領域に複数配設された各貯留遊技媒体検出手段に対応する貯留量を個々に設定する貯留量設定手段と、
該貯留量設定手段による設定内容並びに前記貯留遊技媒体検出手段による検出結果に基づいて、前記貯留領域における遊技媒体の貯留量を決定する貯留量決定手段と、
該貯留量決定手段により決定された前記貯留領域における遊技媒体の貯留量を特定可能に報知する貯留量報知手段と、
を備えることを特徴としている。
この特徴によれば、貯留量設定手段による設定内容並びに貯留遊技媒体検出手段による検出結果に基づいて、貯留量決定手段により貯留領域における遊技媒体の貯留量が決定され、該決定された貯留量が特定可能に報知されることになるため、遊技機設置島の形態に応じて貯留領域の貯留容量や貯留遊技媒体検出手段の配設数量、配設状況等が変わることがあっても、貯留領域の貯留容量や貯留遊技媒体検出手段の配設数量、配設状況に合致した正確な貯留量の決定がなされるようになり、よって、遊技機設置島における遊技媒体の貯留状況を正確に把握して管理することが出来る。
【手続補正４】
【補正対象書類名】明細書
【補正対象項目名】０００８
【補正方法】変更
【補正の内容】
【０００８】
本発明の遊技機設置島管理システムは、
前記遊技機設置島を複数備え、
前記管理手段は、前記複数の遊技機設置島それぞれの稼働状況を管理し、
前記貯留量設定手段は、前記複数の遊技機設置島ごとに各貯留遊技媒体検出手段に対応する貯留量を設定し、
前記貯留量報知手段は、前記複数の遊技機設置島ごとに前記貯留領域における遊技媒体の貯留量を個別に報知することが好ましい。
このようにすれば、複数の遊技機設置島それぞれの貯留領域における遊技媒体の貯留量の状況を漏れなく把握することが出来るばかりか、集中した態様で貯留量の報知状況を管理することが出来る。
【手続補正５】
【補正対象書類名】明細書
【補正対象項目名】００１０
【補正方法】削除
【補正の内容】
【手続補正６】
【補正対象書類名】明細書
【補正対象項目名】０１３４
【補正方法】変更
【補正の内容】
【０１３４】
また、前記詳細設定を選択した場合には、設定する貯留量検出センサ４１０、４１１の数量を、各検出センサＮｏ．の貯留量検出センサ４１０、４１１に対応して設けられる左側のチェックボックス４６１をチェックすることで設定されるとともに、設定した各検出センサＮｏ．の貯留量検出センサ４１０、４１１に対応して設けられる右側のフィールド４６３それぞれに、各検出センサＮｏ．の貯留量検出センサ４１０、４１１に対応する貯留量（％）を、プルダウン表示される複数の貯留量（％）のうちから選択して設定することで、各検出センサＮｏ．の貯留量検出センサ４１０、４１１それぞれがパチンコ球を検出した際の貯留量として決定されることになる。
【手続補正７】
【補正対象書類名】明細書
【補正対象項目名】０１３６
【補正方法】変更
【補正の内容】
【０１３６】
本発明の請求項１は、複数の遊技機（パチンコ機２）が設置可能であり、前記遊技機の遊技のために使用される遊技媒体（パチンコ球）を貯留する貯留領域（上部タンク３、下部タンク９Ｌ、９Ｒ、貯留タンク２００Ｌ、２００Ｒ（揚送タンク２００ａＬ、２００ａＲ））を備える遊技機設置島（１）と、
該遊技機設置島の稼働状況を管理する管理手段（管理コンピュータ４３０）と、
から構成される遊技機設置島システムにおいて、
前記遊技機設置島は、
前記貯留領域の所定箇所に複数配設され、該貯留領域に貯留された遊技媒体を検出する貯留遊技媒体検出手段（貯留量検出センサ４１０ａ〜４１０ｆ、４１１ａ〜４１１ｅ）を備え、
前記管理手段は、
前記貯留領域に複数配設された各貯留遊技媒体検出手段に対応する貯留量を個々に設定する貯留量設定手段（管理コンピュータ４３０）と、
該貯留量設定手段による設定内容並びに前記貯留遊技媒体検出手段による検出結果に基づいて、前記貯留領域における遊技媒体の貯留量を決定する貯留量決定手段（管理コンピュータ４３０）と、
該貯留量決定手段により決定された前記貯留領域における遊技媒体の貯留量を特定可能に報知する貯留量報知手段（島コントローラ４２１、管理コンピュータ４３０、表示装置４１７）と、
を備える。
【手続補正８】
【補正対象書類名】明細書
【補正対象項目名】０１３７
【補正方法】変更
【補正の内容】
【０１３７】
本発明の請求項２は、前記遊技機設置島（１、１’）を複数備え、
前記管理手段（管理コンピュータ４３０）は、前記複数の遊技機設置島それぞれの稼働状況を管理し、
前記貯留量設定手段（管理コンピュータ４３０）は、前記複数の遊技機設置島ごとに各貯留遊技媒体検出手段（貯留量検出センサ４１０ａ〜４１０ｆ、４１１ａ〜４１１ｅ）に対応する貯留量を設定し
前記貯留量報知手段（島コントローラ４２１、管理コンピュータ４３０、表示装置４１７）は、前記複数の遊技機設置島ごとに前記貯留領域における遊技媒体（パチンコ球）の貯留量を個別に報知する。
【手続補正９】
【補正対象書類名】明細書
【補正対象項目名】０１３９
【補正方法】削除
【補正の内容】
【手続補正１０】
【補正対象書類名】明細書
【補正対象項目名】０１４０
【補正方法】変更
【補正の内容】
【０１４０】
本発明の請求項４は、前記複数の貯留遊技媒体検出手段（貯留量検出センサ４１０ａ〜４１０ｆ、４１１ａ〜４１１ｅ）は、前記貯留領域（下部タンク９Ｌ、９Ｒ）内の遊技媒体（パチンコ球）の貯留量が所定の下限貯留量未満であることを検出する下限貯留遊技媒体検出手段（貯留量検出センサ４１０ａ、４１１ａ）を含み、
前記下限貯留遊技媒体検出手段により前記所定の下限貯留量未満であることが検出されたことに基づいて、前記貯留領域に遊技媒体を供給する供給手段（球受用シャッタ４０２）を備え、
前記貯留量報知手段（島コントローラ４２１、管理コンピュータ４３０、表示装置４１７）は、前記下限貯留遊技媒体検出手段により前記所定の下限貯留量未満であることが所定時間（例えば１５分）継続して検出されたとき、前記貯留領域内の遊技媒体の貯留量が前記所定の下限貯留量未満であることが継続している旨を報知する。
【手続補正１１】
【補正対象書類名】明細書
【補正対象項目名】０１４１
【補正方法】変更
【補正の内容】
【０１４１】
本発明の請求項５は、前記管理手段（管理コンピュータ４３０）は、前記貯留量決定手段（管理コンピュータ４３０）による決定内容に基づいて、前記貯留領域（下部タンク９Ｌ、９Ｒ）における遊技媒体（パチンコ球）の貯留量の推移状態を示す貯留量推移画像情報を生成する貯留量推移画像情報生成手段（制御部４３１）を備え、
前記貯留量報知手段（島コントローラ４２１、管理コンピュータ４３０、表示装置４１７）は、前記貯留量推移画像情報生成手段により生成された前記貯留量推移画像情報に基づいて貯留量推移画像（折れ線グラフ）を表示可能な表示手段である。
【手続補正１２】
【補正対象書類名】明細書
【補正対象項目名】０１４７
【補正方法】変更
【補正の内容】
【０１４７】
（ａ）請求項１の発明によれば、貯留量設定手段による設定内容並びに貯留遊技媒体検出手段による検出結果に基づいて、貯留量決定手段により貯留領域における遊技媒体の貯留量が決定され、該決定された貯留量が特定可能に報知されることになるため、遊技機設置島の形態に応じて貯留領域の貯留容量や貯留遊技媒体検出手段の配設数量、配設状況等が変わることがあっても、貯留領域の貯留容量や貯留遊技媒体検出手段の配設数量、配設状況に合致した正確な貯留量の決定がなされるようになり、よって、遊技機設置島における遊技媒体の貯留状況を正確に把握して管理することが出来る。
【手続補正１３】
【補正対象書類名】明細書
【補正対象項目名】０１５０
【補正方法】削除
【補正の内容】
【手続補正１４】
【補正対象書類名】明細書
【補正対象項目名】０１５１
【補正方法】変更
【補正の内容】
【０１５１】
（ｄ）請求項４の発明によれば、下限貯留遊技媒体検出手段により所定の下限貯留量未満であることが検出されたときから所定時間経過後における貯留領域内の遊技媒体の貯留量が前記所定の下限貯留量未満であることが検出されたとき、貯留領域内の遊技媒体の貯留量が所定の下限貯留量未満であることが継続している旨が報知されることで、供給手段による貯留領域への遊技媒体の供給や遊技媒体の循環等に何らかの問題が生じている可能性があることを例えば遊技場の店員等が早期のうちに認識して対処することが出来るため、遊技機への遊技媒体の供給等が滞って遊技客に迷惑をかけたり、遊技機設置島を閉鎖することで遊技機の稼働率が著しく低下して遊技場が多大な損害を被ることを回避出来る。
【手続補正１５】
【補正対象書類名】明細書
【補正対象項目名】０１５２
【補正方法】変更
【補正の内容】
【０１５２】
（ｅ）請求項５の発明によれば、貯留量の推移状況を容易に把握することが出来るため、貯留領域への遊技媒体の供給方法の検討等を行うことが出来る。